(57)【特許請求の範囲】
【請求項１】
ＬＴＥ（Long  Term  Evolution）セルラ通信ネットワーク内の基地局においてＵＥ（User  Equipment）により送信されるべきＣＳＩ（Channel  State  Information）レポートを制御するための方法であって、前記ＣＳＩレポートは、前記基地局からのセル固有のリファレンス信号についての測定に基づいており、
前記方法は、
どのような間隔／パターンで前記セル固有のリファレンス信号が前記基地局から送信されるべきかを決定するステップ（１０１）と、
異なるＵＥからのＣＳＩレポートを分散させるために、前記間隔／パターンに依存して、ＵＥがＣＳＩレポートをいつ送信すべきかを示すパラメータを決定するステップ（１０２）と、
前記ＵＥへ前記パラメータを送信するステップ（１０３）と、
を含み、
前記パラメータは、ＣＳＩレポートのＵＥによる送信をある時点とレポート周期とで示す送信パターンである、
方法。
【請求項２】
ＬＴＥ（Long  Term  Evolution）セルラ通信ネットワーク内のＵＥ（User  Equipment）においてＣＳＩ（Channel  State  Information）レポートを送信するための方法であって、前記ＣＳＩレポートは、基地局からのセル固有のリファレンス信号についての測定に基づいており、前記セル固有のリファレンス信号は、予め定義される間隔／パターンで送信され、
前記方法は、
前記間隔／パターンに依存する、前記ＵＥがＣＳＩレポートをいつ送信すべきかを示す前記基地局から受信されるパラメータを使用するステップ（１１０）と、
前記パラメータに従って、前記ＣＳＩレポートを送信するステップ（１１１）と、
を含み、
前記パラメータは、ＣＳＩレポートのＵＥによる送信をある時点とレポート周期とで示す送信パターンである、
方法。
【請求項３】
ＬＴＥ（Long  Term  Evolution）セルラ通信ネットワークのために適合される、ＵＥ（User  Equipment）により送信されるべきＣＳＩ（Channel  State  Information）レポートを制御するための基地局（５００）であって、前記ＣＳＩレポートは、前記基地局からのセル固有のリファレンス信号についての測定に基づいており、
どのような間隔／パターンで前記セル固有のリファレンス信号が前記基地局から送信されるべきかを決定するための第１の処理部（５０１）と、
異なるＵＥからのＣＳＩレポートを分散させるために、前記間隔／パターンに依存して、ＵＥがＣＳＩレポートをいつ送信すべきかを示すパラメータを決定するための第２の処理部（５０２）と、
前記ＵＥへ前記パラメータを送信するための送信器（５０３）、
を備え、
前記パラメータは、ＣＳＩレポートのＵＥによる送信をある時点とレポート周期とで示す送信パターンである、
基地局。
【請求項４】
ＬＴＥ（Long  Term  Evolution）セルラ通信ネットワークのために適合される、ＣＳＩ（Channel  State  Information）レポートを送信するためのユーザ機器（ＵＥ）（６００）であって、前記ＣＳＩレポートは、基地局（５００）からのセル固有のリファレンス信号についての測定に基づいており、前記セル固有のリファレンス信号は、予め定義される間隔／パターンで送信され、
前記間隔／パターンに依存する、前記ＵＥがＣＳＩレポートをいつ送信すべきかを示すパラメータを使用するように構成されるＣＳＩレポートマネージャ（６０１）と、
前記パラメータを前記基地局から受信するための受信器（６０２）と、
前記パラメータに従って、前記ＣＳＩレポートを送信するための送信器（６０２）と、
を備え、
前記パラメータは、ＣＳＩレポートのＵＥによる送信をある時点とレポート周期とで示す送信パターンである、
ＵＥ。
【発明の詳細な説明】
【技術分野】
【０００１】
【背景技術】
【０００２】
ＬＴＥ（Long  Term  Evolution）のような現代の無線通信システムでは、ダウンリンク（ＤＬ）及びアップリンク（ＵＬ）の双方について、使用されるトランスポートフォーマット、トランスポートブロックサイズ、ＭＣＳ方式、ＭＩＭＯ送信モードなどを基地局が決定する。ＤＬについてこの決定を可能とするために、基地局は、一般的にチャネル状態情報（ＣＳＩ：Channel  State  Information）と呼ばれるその時点のＤＬチャネルの特性に関する端末からの情報を必要とする。ＬＴＥリリース８において、ＣＳＩは、チャネル品質情報（ＣＱＩ：Channel  Quality  Information）、プリコーダ行列インデックス（ＰＭＩ：Precoder  Matrix  Index）及びランクインジケータ（ＲＩ：Rank  Indicator）を含む。より後のリリースでは、明示的（explicit）チャネル量子化、受信側の処理を含む実効（effective）チャネル量子化、雑音及び干渉フィードバックに加えて、受信共分散フィードバックなどの他の形式のＣＳＩもまた候補となり得る。こうした測定レポート（measurement  report）を可能とするために、端末は、ＤＬリファレンス信号（ＲＬ：Reference  Signals）を測定する。ＬＴＥリリース８において、使用されるＲＳは、セル固有であり、頻繁に送信される。
【０００３】
ＬＴＥ−Ａ（LTE-Advanced）、即ちリリース１０及びそれ以降のリリースでは、多くの送信モードにおいてダウンリンク送信信号の復調が一応はＵＥ固有のＲＳに基づいているため、ＣＳＩ評価のために使用されるセル固有のＲＳが送信される頻度は少ない。しかしながら、ＣＳＩの決定は、ＲＳのオーバヘッドの総量を維持し又は低減するようにより低い頻度でしか送信されないセル固有のＲＳに、依然として基づいている。
【０００４】
ＣＳＩの測定のために使用されるセル固有のＲＳがより低い頻度で送信されることから、ＵＥにとって選択し得るセル固有のＲＳの量は少なくなっており、ＵＥはその時点からＣＳＩの測定を行うように要求される。これは、多くのＵＥが同じサブフレーム内でＣＳＩレポートを送信することになるという、アップリンクの輻輳のリスクを招く結果をもたらす。
【発明の概要】
【発明が解決しようとする課題】
【０００５】
本発明の実施形態の目的は、ＣＳＩレポートの送信により引き起こされるアップリンクの輻輳を回避することである。
【課題を解決するための手段】
【０００６】
これは、異なるＵＥの間でＣＳＩレポートの送信を分散させることにより達成される。分散は、ＣＳＩレポートをいつ送信すべきかをＵＥに示す送信パターンをＵＥへ送信することにより実行される。あるセル内のＵＥについての送信パターンは、異なるＵＥからのＣＳＩレポートが衝突しないように互いに調整される。ＵＥの間でＣＳＩレポートを分散させる別の手法は、ＣＳＩレポートをＵＥが送信すべきこと、そしてＵＥが当該命令の受信から計算される時間遅延の後にＣＳＩレポートを送信すること、を示す専用の命令をＵＥへ送信することである。ＣＳＩレポートの分散は、この場合、当該命令を分散させることにより達成され得る。ＵＥの間でＣＳＩレポートを分散させるまた別の手法は、基地局及びＵＥの双方において既知であるＵＥ固有のパラメータを使用することであり、このＵＥ固有のパラメータをＣＳＩレポートをいつ送信するかを決定する際に使用することである。
【０００７】
本発明の第１の観点によれば、ＬＴＥセルラ通信ネットワーク内の基地局においてＵＥにより送信されるべきＣＳＩレポートを制御するための方法が提供される。ＣＳＩレポートは、基地局からのセル固有のリファレンス信号についての測定に基づく。当該方法において、どのような間隔／パターンでセル固有のリファレンス信号が基地局から送信されるべきかが決定され、異なるＵＥからのＣＳＩレポートを分散させるために、上記間隔／パターンに依存して、ＵＥがＣＳＩレポートをいつ送信すべきかを示すパラメータが決定される。
【０００８】
本発明の第２の観点によれば、ＬＴＥセルラ通信ネットワーク内のＵＥにおいてＣＳＩレポートを送信するための方法が提供される。ＣＳＩレポートは、基地局からのセル固有のリファレンス信号についての測定に基づいており、予め定義される間隔／パターンで送信される。当該方法において、上記間隔／パターンに依存する、ＵＥがＣＳＩレポートをいつ送信すべきかを示すパラメータが使用され、当該パラメータに従ってＣＳＩレポートが送信される。
【０００９】
本発明の第３の観点によれば、ＬＴＥセルラ通信ネットワークのために適合される、ＵＥにより送信されるべきＣＳＩレポートを制御するための基地局が提供される。ＣＳＩレポートは、基地局からのセル固有のリファレンス信号についての測定に基づく。当該基地局は、どのような間隔／パターンでセル固有のリファレンス信号が当該基地局から送信されるべきかを決定するための第１の処理部５０１と、異なるＵＥからのＣＳＩレポートを分散させるために、上記間隔／パターンに依存して、ＵＥがＣＳＩレポートをいつ送信すべきかを示すパラメータを決定するための第２の処理部５０２と、を備える。
【００１０】
本発明の第４の観点によれば、ＬＴＥセルラ通信ネットワークのために適合される、ＣＳＩレポートを送信するためのＵＥが提供される。ＣＳＩレポートは、基地局からのセル固有のリファレンス信号についての測定に基づいており、セル固有のリファレンス信号は、予め定義される間隔／パターンで送信される。当該ＵＥは、上記間隔／パターンに依存する、当該ＵＥがＣＳＩレポートをいつ送信すべきかを示すパラメータを使用するように構成されるＣＳＩレポートマネージャ６０１を備える。当該ＵＥは、上記パラメータに従ってＣＳＩレポートを送信するための送信器６０２をさらに備える。
【発明の効果】
【００１１】
本発明の実施形態の利点は、ＣＳＩレポートが多くのアップリンクサブフレームに分散されることで、固定的なレポーティング遅延のケースにおいて使用されることになるそれらアップリンクサブフレームの負荷が低減されることである。ＰＵＣＣＨ上でレポートが行われるケースでは、ＰＵＣＣＨフォーマット２のために設けられるリソースブロックが少なくなり、ＰＵＳＣＨのために利用可能なリソースブロックが増加する。
【図面の簡単な説明】
【００１２】
【図１】本発明の実施形態に係る方法のフローチャートである。
【図２】本発明の第１の実施形態を示している。
【図３】本発明の第２の実施形態を示している。
【図４】本発明の第３の実施形態を示している。
【図５】本発明の実施形態に係る基地局及びＵＥを示している。
【発明を実施するための形態】
【００１３】
本発明は、本発明の好適な実施形態が示される添付図面を参照しながら、以下により詳しく説明される。しかしながら、本発明は多くの異なる形式で具現化されてよく、ここで説明される実施形態に限定して解釈されるべきではなく、むしろこれら実施形態は、本開示が詳細かつ完全なものとなり当業者に本発明の範囲を十分に伝えるように提供される。図面において、同等の参照符号は同様の構成要素を指す。
【００１４】
さらに、当業者は、プログラムされるマイクロプロセッサ若しくは汎用コンピュータと共に機能するソフトウェアを用いて、及び／又はＡＳＩＣ（application  specific  integrated  circuit）を用いて以下に説明される手段及び機能が実装されてよいことを理解するであろう。また、本発明は主に方法及び装置の形式で説明される一方、本発明はコンピュータプログラム製品、並びにコンピュータプロセッサ及び当該プロセッサに接続されるメモリを含むシステムにおいて具現化されてもよく、当該メモリはここで開示される機能を実行し得る１つ以上のプログラムと共にコーディングされる。
【００１５】
本発明の基本的なアイディアは、基地局からのセル固有のリファレンス信号についての測定に基づいているＣＳＩレポートの送信を、異なるＵＥの間で分散させることである。これは、ＬＴＥセルラ通信ネットワークにおいてＵＥからのＣＳＩレポートの送信を制御することにより達成される。図１に例示するように、まず、基地局において、当該基地局から送信されるべきセル固有のリファレンス信号の間隔が決定される（１０１）。即ち、当該間隔は、２つの後続のリファレンス信号の送信の間の時間である。より複雑なリファレンス信号送信パターン（例えば、完全には周期的でない送信パターン）のケースでは、当該送信パターンは、単一の間隔値では完全には記述されない。そして、異なるＵＥからのＣＳＩレポートを分散させるために、当該間隔に依存して、ＵＥがＣＳＩレポートをいつ送信すべきかを示すパラメータが決定される（１０２）。基地局はリファレンス信号の送信の頻度よりも高い頻度でＣＳＩレポートを要求すべきではないため、当該パラメータは上記間隔に依存するようになされる。
【００１６】
それに応じて、図１に示されるように、ＵＥは、上記パラメータを使用し（１１０）、上記パラメータに従ってＣＳＩレポートを送信している（１１１）。
【００１７】
第１及び第２の実施形態によれば、ＵＥがいつＣＳＩレポートを送信すべきかを示す上記パラメータは、基地局からＵＥへ送信される（１０３）。
【００１８】
第１の実施形態において、ＵＥがいつＣＳＩレポートを送信すべきかを示す上記パラメータは、送信パターンを表す。図２に例示されているように、各ＵＥがＣＳＩレポートをいつ送信すべきかを示す固有の送信パターンは、基地局から各ＵＥへ専用のものとして送信される。その代わりに、ＵＥをグループ化することも可能であり、ＵＥのあるグループに対して同じ送信パターンが送信される。送信パターンは、１つの絶対的な時点とレポート周期とを含み得る。より複雑なＣＳＩレポート送信パターン（例えば、完全には周期的でないＣＳＩレポートの送信パターン）のケースでは、ＣＳＩレポートの送信パターンは、１つの絶対的な時点及びレポート周期では完全には記述されない。
【００１９】
第２の実施形態において、ＵＥがいつＣＳＩレポートを送信すべきかを示す上記パラメータは、時間遅延を表す。この時間遅延は、図３に例示されているように、ＣＳＩレポートを送信させる命令をＵＥが受信してから当該ＣＳＩレポートを当該ＵＥが送信するまでの遅延である。このケースでは、例えばＲＲＣなどのより上位のレイヤのシグナリングが、レポート遅延を半静的に（semi-statically）構成するために使用される。ＣＳＩレポートの送信は、ＰＤＣＣＨの一部としてシグナリングされ得る専用のＣＳＩレポート送信要求によってトリガされ、当該専用の要求は、レポーティング時間遅延又はレポーティングのために使用されるべきサブフレームの番号を含み得る。
【００２０】
図３に例示されている第２の実施形態の第１の代替手段によれば、基地局からＵＥへのＣＳＩレポートを送信させる命令は、各ＵＥに専用のものとして送信される。よって、異なるＵＥの間のＣＳＩレポートの送信の分散は、ＣＳＩレポートを送信させる基地局からの命令を分散させることにより達成される。各ＵＥについての時間遅延の情報は、専用のものとして送信されてもよく、又はブロードキャストされてもよい。加えて、時間遅延は、ＣＳＩレポートの送信が互いに衝突しない限り、全てのＵＥについて同一であってもよく、又はＵＥの間で異なってもよい
【００２１】
第２の実施形態の第２の代替手段によれば、ＣＳＩレポートを送信させる共通的な命令／パターンが全てのＵＥへブロードキャストされ、及び、ＵＥは当該共通のコマンドの受信から計算されることになる個別の時間遅延を受信する。個別の時間遅延は、ＵＥに専用のものとして送信されてもよく、又は全てのＵＥへ全ての個別の時間遅延がブロードキャストされてもよい。この代替手段は、図３には示されていない。
【００２２】
第３の実施形態において、ＵＥがいつＣＳＩレポートを送信すべきかを示す上記パラメータは、基地局及びＵＥの双方により既知なパラメータである。当該パラメータは、ＵＥがＣＳＩレポートをいつ送信すべきかを基地局及びＵＥの双方が知っていることになるように、プロトコルによって特定される。この実施形態では、図４に例示されているように、ＵＥへ情報は送信されない。この目的のために使用することのできるパラメータの一例は、Ｃ−ＲＮＴＩである。例えば、Ｌ個の異なるレポート送信時間／パターンが使用される場合、ＵＥはｉ＝ｍｏｄ（ＣＲＮＴＩ，Ｌ）を計算することができ、ｉはＬ個のレポート送信時間の１つについてのインデックスである。他の共通のパラメータ及びマッピングもまた想起され得る。なお、基地局はＵＥからのＣＳＩレポートがいつ予定されるかを知っていなければならないため、基地局にとって当該パラメータが既知である必要がある。
【００２３】
次に、図５に移ると、ＵＥにより送信されるべきＣＳＩレポートを制御するための、ＬＴＥセルラ通信ネットワークのために適合される基地局５００が示されている。基地局は、セル固有のリファレンス信号（６０４）を送信するように構成される。ＵＥは、これらリファレンス信号について測定を行い、ＣＳＩレポート（６０７）はこれら測定に基づく。本発明の実施形態によれば、基地局は、どのような間隔でセル固有のリファレンス信号が当該基地局から送信されるべきかを決定するための第１の処理部５０１と、異なるＵＥからのＣＳＩレポートを分散させるために、当該間隔に依存して、ＵＥがＣＳＩレポートをいつ送信すべきかを示すパラメータを決定するための第２の処理部５０２と、を備える。
【００２４】
図５には、ＵＥ６００もまた示されている。ＵＥ６００は、ＬＴＥセルラ通信ネットワークのために適合される。よって、ＵＥ６００は、予め定義される間隔で送信されるセル固有のリファレンス信号６０４について測定を行うように構成される。なお、当該間隔は、図２〜４に示されている。ＵＥ６００は、予め定義される間隔に依存するパラメータ６０６であってＵＥがＣＳＩレポートをいつ送信すべきかを示す当該パラメータ、を使用するように構成されるＣＳＩレポートマネージャ６０１を備える。ＵＥは、パラメータ６０６に従ってＣＳＩレポート６０７を送信するための送信器６０２をさらに備える。
【００２５】
第１及び第２の実施形態によれば、基地局５００は、ＵＥがＣＳＩレポート６０７をいつ送信すべきかを示すパラメータ６０６をＵＥへ送信するように適合される送信器５０３を備える。それに応じて、ＵＥ６００は、基地局５００からのパラメータ６０６を受信するための受信器６０２を備える。
【００２６】
上で触れたように、上記パラメータは、第１の実施形態によれば、ＵＥがＣＳＩレポートをいつ送信すべきかを示す送信パターンである。
【００２７】
第２の実施形態によれば、送信器５０３は、ＣＳＩレポートを送信させる命令６０５をＵＥへ送信するようにさらに構成され、パラメータ６０６は、ＣＳＩレポートを送信させる命令６０５のＵＥにおける受信からＣＳＩレポート６０７の送信までで定義される時間遅延である。それに応じて、ＵＥ６００の受信器６０２は、ＣＳＩレポートを送信させる命令６０５を受信するようにさらに構成される。
【００２８】
第３の実施形態によれば、上記パラメータは、基地局及びＵＥの双方において既知である、例えばＣ−ＲＮＴＩなどのＵＥ固有のパラメータであってもよい。
【００２９】
本発明は、上述した好適な実施形態に限定されない。様々な変形、修正及び均等物が使用されてよい。従って、上述した実施形態は、本発明の範囲を限定するものとして扱われるべきでなく、本発明の範囲は、添付の特許請求の範囲により定義される。
【図１】
0005695039.tif 000002
【図２】
0005695039.tif 000003
【図３】
0005695039.tif 000004
【図４】
0005695039.tif 000005
【図５】
0005695039.tif 000006